(57)【要約】  【課題】  利用者の意図に沿った綴じ処理を煩雑な操作を行わずに実効できる画像形成装置を提供する。  【解決手段】  複数の用紙カセットの何れかから供給された用紙に綴じ処理を施す綴じ処理手段と、前記用紙カセットに収容された用紙が綴じ処理済みの用紙であるか否かを識別する識別手段と、前記綴じ処理モード設定手段による綴じ処理の選択時に、選択用紙カセットの収容用紙が前記識別手段により綴じ処理済みの用紙であると識別されると、警告表示を行う警告表示手段を備えてなる画像形成装置であって、前記警告表示手段の作動中に画像形成ジョブのスタートキーが操作されると、前記警告表示手段は前記警告表示の表示態様を異ならせて表示するとともに、再度スタートキーが操作されると、前記綴じ処理モードを解消して画像形成ジョブを開始する自動モード変更手段を設けて構成される。  【選択図】  図４
2005274940.tif 000002
【特許請求の範囲】
【請求項１】
複数の用紙カセットの何れかから供給された用紙に綴じ処理を施す綴じ処理手段と、前記綴じ処理手段による綴じ処理の可否を設定する綴じ処理モード設定手段と、前記用紙カセットに収容された用紙が綴じ処理済みの用紙であるか否かを識別する識別手段と、前記綴じ処理モード設定手段による綴じ処理の選択時に、選択用紙カセットの収容用紙が前記識別手段により綴じ処理済みの用紙であると識別されると、警告表示を行う警告表示手段を備えてなる画像形成装置であって、
前記警告表示手段の作動中に画像形成ジョブのスタートキーが操作されると、前記警告表示手段は前記警告表示の表示態様を異ならせて表示するとともに、再度スタートキーが操作されると、当該設定モードで画像形成ジョブを開始する画像形成装置。
【請求項２】
複数の用紙カセットの何れかから供給された用紙に綴じ処理を施す綴じ処理手段と、前記綴じ処理手段による綴じ処理の可否を設定する綴じ処理モード設定手段と、前記用紙カセットに収容された用紙が綴じ処理済みの用紙であるか否かを識別する識別手段と、前記綴じ処理モード設定手段による綴じ処理の選択時に、選択用紙カセットの収容用紙が前記識別手段により綴じ処理済みの用紙であると識別されると、警告表示を行う警告表示手段を備えてなる画像形成装置であって、
前記警告表示手段の作動中に画像形成ジョブのスタートキーが操作されると、前記警告表示手段は前記警告表示の表示態様を異ならせて表示するとともに、再度スタートキーが操作されると、前記綴じ処理モードを解消して画像形成ジョブを開始する自動モード変更手段を設けてある画像形成装置。
【請求項３】
複数の用紙カセットの何れかから供給された用紙に綴じ処理を施す綴じ処理手段と、前記綴じ処理手段による綴じ処理の可否を設定する綴じ処理モード設定手段と、前記用紙カセットに収容された用紙が綴じ処理済みの用紙であるか否かを識別する識別手段と、前記綴じ処理モード設定手段による綴じ処理の選択時に、選択用紙カセットの収容用紙が前記識別手段により綴じ処理済みの用紙であると識別されると、警告表示を行う警告表示手段を備えてなる画像形成装置であって、
前記警告表示手段の作動中に画像形成ジョブのスタートキーが操作されると、前記警告表示手段は前記警告表示の表示態様を異ならせて表示するとともに、再度スタートキーが操作されると、当該用紙カセット以外の用紙カセットを選択して画像形成ジョブを開始する自動カセット変更手段を設けてある画像形成装置。
【請求項４】
複数の用紙カセットの何れかから供給された用紙に綴じ処理を施す綴じ処理手段と、前記綴じ処理手段による綴じ処理の可否を設定する綴じ処理モード設定手段と、前記用紙カセットに収容された用紙が綴じ処理済みの用紙であるか否かを識別する識別手段と、前記綴じ処理モード設定手段による綴じ処理の選択時に、選択用紙カセットの収容用紙が前記識別手段により綴じ処理済みの用紙であると識別されると、警告表示を行う警告表示手段を備えてなる画像形成装置であって、
前記警告表示手段の作動中に画像形成ジョブのスタートキーが操作されると、前記警告表示手段は前記警告表示の表示態様を異ならせて表示するとともに、再度スタートキーが操作されると、当該モードで画像形成ジョブを開始するか、前記綴じ処理モードを解消して画像形成ジョブを開始するか、当該用紙カセット以外の用紙カセットを選択して画像形成ジョブを開始するかの何れかの動作モードが設定可能に構成されている画像形成装置。
【請求項５】
前記綴じ処理がステープル処理または穿孔処理の何れかである請求項１から４の何れかに記載の画像形成装置。
【請求項６】
前記用紙カセットに、綴じ処理済みの用紙のセット方向を示すガイド表示部を設けてある請求項１から５の何れかに記載の画像形成装置。
【発明の詳細な説明】
【技術分野】
【０００１】
本発明は、複数の用紙カセットの何れかから供給された用紙に綴じ処理を施す綴じ処理手段と、前記綴じ処理手段による綴じ処理の可否を設定する綴じ処理モード設定手段と、前記用紙カセットに収容された用紙が綴じ処理済みの用紙であるか否かを識別する識別手段と、前記綴じ処理モード設定手段による綴じ処理の選択時に、選択用紙カセットの収容用紙が前記識別手段により綴じ処理済みの用紙であると識別されると、警告表示を行う警告表示手段を備えてなる画像形成装置に関する。
【背景技術】
【０００２】
従来、シートに対して穿孔処理を行う穿孔処理装置において、シートに既にパンチ孔が空いているか否かを認識する認識手段と、既にパンチ孔が空いていると認識されたときに穿孔処理を禁止し、または警告表示を行う画像形成装置が提案されている。
【特許文献１】特開２００１−３１６０３６号公報
【発明の開示】
【発明が解決しようとする課題】
【０００３】
しかし、上述の従来技術によれば、既にパンチ孔が空いていると認識されたときに穿孔処理が禁止されるものであるために、例えば、穿孔処理を解除する操作入力を行ない、或いは、用紙カセットを変更設定する操作入力を行わねばならず、操作が煩雑であるとともに、利用者の意図に反した操作を行わなければならないという問題があった。
【０００４】
利用者にとって、穿孔処理の結果、たとえパンチ孔の位置ずれの虞があってもそのまま実行したいと望む場合もあり、その逆にパンチ孔の位置ずれの虞がある場合には設定を変更したいと望む場合もあるので、一律に穿孔処理を禁止すると利用者の自由度が損なわれることになる。
【０００５】
本発明は、上述の従来欠点に鑑み、利用者の意図に沿った綴じ処理を煩雑な操作を行わずに実効できる画像形成装置を提供する点にある。
【課題を解決するための手段】
【０００６】
上述の目的を達成するため、本発明による画像形成装置の第一の特徴構成は、特許請求の範囲の欄の請求項１に記載した通り、複数の用紙カセットの何れかから供給された用紙に綴じ処理を施す綴じ処理手段と、前記綴じ処理手段による綴じ処理の可否を設定する綴じ処理モード設定手段と、前記用紙カセットに収容された用紙が綴じ処理済みの用紙であるか否かを識別する識別手段と、前記綴じ処理モード設定手段による綴じ処理の選択時に、選択用紙カセットの収容用紙が前記識別手段により綴じ処理済みの用紙であると識別されると、警告表示を行う警告表示手段を備えてなる画像形成装置であって、前記警告表示手段の作動中に画像形成ジョブのスタートキーが操作されると、前記警告表示手段は前記警告表示の表示態様を異ならせて表示するとともに、再度スタートキーが操作されると、当該設定モードで画像形成ジョブを開始する点にある。
【０００７】
上述の構成によれば、設定した綴じ処理モード及び選択した用紙カセットに対してその組合せに不都合が生じると判断される場合にスタートキーが操作されると、直ちにモードを自動的に解消したり、用紙カセットを変更するものではなく、一旦警告表示の態様を変化させて利用者に注意を喚起し、その後に再度スタートキーが操作されると設定されたモードで画像形成ジョブを開始するので、警告表示により不都合を感じる利用者は設定を変更する機会を提供できるのであり、利用者の意図に沿った動作が実現できるようになるのである。
【０００８】
同第二の特徴構成は、同請求項２に記載した通り、複数の用紙カセットの何れかから供給された用紙に綴じ処理を施す綴じ処理手段と、前記綴じ処理手段による綴じ処理の可否を設定する綴じ処理モード設定手段と、前記用紙カセットに収容された用紙が綴じ処理済みの用紙であるか否かを識別する識別手段と、前記綴じ処理モード設定手段による綴じ処理の選択時に、選択用紙カセットの収容用紙が前記識別手段により綴じ処理済みの用紙であると識別されると、警告表示を行う警告表示手段を備えてなる画像形成装置であって、前記警告表示手段の作動中に画像形成ジョブのスタートキーが操作されると、前記警告表示手段は前記警告表示の表示態様を異ならせて表示するとともに、再度スタートキーが操作されると、前記綴じ処理モードを解消して画像形成ジョブを開始する自動モード変更手段を設けてある点にある。
【０００９】
上述と同様、設定した綴じ処理モード及び選択した用紙カセットに対してその組合せに不都合が生じると判断される場合にスタートキーが操作されると、直ちにモードを自動的に解消したり、用紙カセットを変更するものではなく、一旦警告表示の態様を変化させて利用者に注意を喚起し、その後に再度スタートキーが操作されると、綴じ処理モードを解消して画像形成ジョブを開始するので、利用者がわざわざ綴じ処理モードを解消するための設定入力を行う必要が無くなり、利便性が向上するのである。
【００１０】
同第三の特徴構成は、同請求項３に記載した通り、複数の用紙カセットの何れかから供給された用紙に綴じ処理を施す綴じ処理手段と、前記綴じ処理手段による綴じ処理の可否を設定する綴じ処理モード設定手段と、前記用紙カセットに収容された用紙が綴じ処理済みの用紙であるか否かを識別する識別手段と、前記綴じ処理モード設定手段による綴じ処理の選択時に、選択用紙カセットの収容用紙が前記識別手段により綴じ処理済みの用紙であると識別されると、警告表示を行う警告表示手段を備えてなる画像形成装置であって、前記警告表示手段の作動中に画像形成ジョブのスタートキーが操作されると、前記警告表示手段は前記警告表示の表示態様を異ならせて表示するとともに、再度スタートキーが操作されると、当該用紙カセット以外の用紙カセットを選択して画像形成ジョブを開始する自動カセット変更手段を設けてある点にある。
【００１１】
上述と同様、設定した綴じ処理モード及び選択した用紙カセットに対してその組合せに不都合が生じると判断される場合にスタートキーが操作されると、直ちにモードを自動的に解消したり、用紙カセットを変更したりするものではなく、一旦警告表示の態様を変化させて利用者に注意を喚起し、その後に再度スタートキーが操作されると、綴じ処理モードを解消して画像形成ジョブを開始するので、利用者がわざわざ用紙カセットの切替選択の設定入力を行う必要が無くなり、利便性が向上するのである。
【００１２】
同第四の特徴構成は、同請求項４に記載した通り、複数の用紙カセットの何れかから供給された用紙に綴じ処理を施す綴じ処理手段と、前記綴じ処理手段による綴じ処理の可否を設定する綴じ処理モード設定手段と、前記用紙カセットに収容された用紙が綴じ処理済みの用紙であるか否かを識別する識別手段と、前記綴じ処理モード設定手段による綴じ処理の選択時に、選択用紙カセットの収容用紙が前記識別手段により綴じ処理済みの用紙であると識別されると、警告表示を行う警告表示手段を備えてなる画像形成装置であって、前記警告表示手段の作動中に画像形成ジョブのスタートキーが操作されると、前記警告表示手段は前記警告表示の表示態様を異ならせて表示するとともに、再度スタートキーが操作されると、当該モードで画像形成ジョブを開始するか、前記綴じ処理モードを解消して画像形成ジョブを開始するか、当該用紙カセット以外の用紙カセットを選択して画像形成ジョブを開始するかの何れかの動作モードが設定可能に構成されている点にある。
【００１３】
この場合にも、スタートキーが操作されると、直ちにモードを自動的に解消したり、用紙カセットを変更したりするものではなく、一旦警告表示の態様を変化させて利用者に注意を喚起し、その後に再度スタートキーが操作されると、予め利用者の意図に沿って設定されたモードで画像形成ジョブを開始するので、利用者がその度にモードの設定変更入力を行う必要が無くなり、利便性が向上するのである。
【００１４】
同第五の特徴構成は、同請求項５に記載した通り、上述の第一から第四の何れかの特徴構成に加えて、前記綴じ処理がステープル処理または穿孔処理の何れかである点にある。
【００１５】
同第六の特徴構成は、同請求項６に記載した通り、上述の第一から第五の何れかの特徴構成に加えて、前記用紙カセットに、綴じ処理済みの用紙のセット方向を示すガイド表示部を設けてある点にあり、このようなガイド表示部を設けることにより綴じ処理済みの用紙の方向を誤って収容する事態を事前に解消することができるのである。
【発明の効果】
【００１６】
以上説明した通り、本発明によれば、利用者の意図に沿った綴じ処理を煩雑な操作を行わずに実効できる画像形成装置を提供することができるようになった。
【発明を実施するための最良の形態】
【００１７】
以下に本発明による画像形成装置の実施の形態を、デジタル方式の複写機を例に説明する。図１（ａ）に示すように、画像形成装置としての複写機は、原稿載置部にセットされた一連の原稿を順次画像読取部に搬送する原稿フィーダー２と、原稿フィーダー２の下部に設けられた画像読取部と、画像読取部の下部に設けられた画像形成プロセス処理部と、画像形成プロセス処理部に供給される用紙がセットされた給紙カセット４と、給紙カセット４から供給され画像形成プロセス処理部でトナー画像が形成された記録紙を定着処理する定着処理部と、定着処理部で処理された記録紙を排出する排出ローラを備えた排出処理部とから成る本体部１と、排出処理部から排出された記録紙の束に対してステープル処理や穿孔処理を行う後処理部３０と、前記画像形成装置の各種動作モードを設定するモード設定キーや複写動作を起動するプリントキーなどが配置された操作部３を設けて構成されている。ここで、図１（ｂ）に示すように、前記給紙カセット４には、使用者の誤収容を防止すべく、綴じ処理済みの用紙のセット方向を示すガイド表示部５を設けてある。
【００１８】
前記操作部３は、プリント、複写、ＦＡＸなどのジョブの種類を選択するモード選択キーや、用紙サイズ、露光レベル、枚数など画像形成プロセス条件を選択するプロセス条件選択キーや、ジョブの開始を指令するプリントキー、複写枚数などを設定するテンキー、さらには後述の後処理部３０の処理モードを設定する複数の設定キーなどの各種のキーが配置されたキー入力部３ａと、キー入力部３ａの入力状態などを表示する液晶パネルでなる表示部３ｂなどを備えて構成される。
【００１９】
図示していないが、前記画像読取部には、原稿画像を読取る照明光学系及び撮像素子が配置され、前記画像形成プロセス処理部には、電子写真プロセスを具現化する感光体とその周囲に帯電、露光、現像などの各処理部が配され、前記定着処理部には、給紙カセットから搬送され、画像形成プロセス処理部で形成されたトナー画像が転写された記録紙を熱定着する加熱ローラなどが配置されている。
【００２０】
前記画像形成装置の制御部２０は、画像読取装置により読取られた画像データや図示していない通信ラインから入力された画像データに対する入出力変換処理を実行するメインＣＰＵ２１を有する第一制御部２０ａと、前記操作部３からのキー入力の受付処理及び画像形成プロセス処理を実行するシステムＣＰＵ２５を有する第二制御部２０ｂとを備えて構成される。
【００２１】
第一制御部２０ａは、メインＣＰＵ２１の実行プログラムが格納されたＲＯＭ２２と、画像処理のための画像データを格納するＲＡＭ２３と、画像読取部４により読取られた原稿画像データなどを入力するとともに、メインＣＰＵ２１で処理された出力画像データを画像形成プロセス処理部に出力する画像入出力バッファ２４などが内部バス２１ａで接続されて構成されている。
【００２２】
第二制御部２０ｂは、システムＣＰＵ２５の実行プログラムが格納されたＲＯＭ２６と、各種のプロセス制御データが格納されるＲＡＭ２７と、第一入出力バッファ２８と第二入出力バッファ２９などが内部バス２５ａで接続されて構成されている。第一入出力バッファ２８は、上述の操作部３に設けられたキー入力部３ａからの操作キーデータ、原稿フィーダー２からの原稿検出スイッチなどが入力される入力ポートと、表示部３ｂに対する表示用データが出力される出力ポートが設けられている。第二入出力バッファ２９には、上述の画像形成部の給・排紙系駆動エレメント、露光用レーザー・帯電・ポリゴンモータなどの画像形成プロセス処理部のエレメント、ヒータなどの定着処理のエレメント、駆動系のエレメントなどといった各エレメントに対する駆動信号が出力される出力ポートと、各エレメントからのプロセスデータなどが入力される入力ポートが設けられ、さらには、後処理部における記録紙を搬送制御する複数の搬送モータや搬送経路切替ソレノイド、ステープル処理を実行するソレノイドなどの搬送駆動エレメントに対する出力ポートや記録紙を検出する複数のセンサの値を入力する入力ポートが設けられている。
【００２３】
前記綴じ処理手段はステープルを行う、ステープル機構部、前記システムＣＰＵ２５からのステープル処理実行指令を受け、前記ステープル機構部に対してステープル処理の実行を指示するステープル制御部等、又は、用紙に対し穿孔を行う穿孔機構部、前記システムＣＰＵ２５から穿孔実行指令を受け、前記選考処理機構に穿孔処理の実行を指示する穿孔処理制御部から構成されている。
【００２４】
前記システムＣＰＵ２５から前記ステープル制御部に、ステープル処理の実行指令が送られてくると、前記ステープル制御部は前記ステープル機構部を作動させ、ステープル処理が行われる。
【００２５】
同様に、前記システムＣＰＵ２５から前記穿孔処理制御部に穿孔処理の実行指示が送られてくると、前記穿孔処理制御部は、前記穿孔処理機構を作動させ、穿孔処理が行われる。
【００２６】
前記処理モード設定手段は、前記ＲＯＭ２６に格納された所定のプログラムとそれを処理する前記システムＣＰＵ２５とで構成され、利用者は、前記操作部３を介して、綴じ処理の可否を設定することができる。
【００２７】
前記識別手段は、用紙孔検知手段と前記システムＣＰＵ２５からの指令に基づき前記用紙孔検知手段を作動し、前記用紙孔検知手段の検知した情報を前記システムＣＰＵ２５に転送され、前記ＲＡＭ２７に格納され、その情報に基づき、コピー動作が開始され、又は、表示部３ｂにメッセージが表示される。
【００２８】
前記用紙孔検知手段は、前記給紙カセット４中に設置され、用紙の表面側、裏面側に、それぞれ発光手段、光検知手段を備えて構成される。ここで前記発光手段は有機ＥＬ、ＬＥＤ等の発光部材を使用するものであり、また前記光検知手段は、ＣＣＤセンサ等の光検知センサを使用するものである。
【００２９】
前記警告表示手段は、所定のプログラムが格納されたＲＯＭ２６、それを処理する前記システムＣＰＵ２５、前記システムＣＰＵ２５により制御され、警告表示を行う前記表示部３ｂを備えて構成される。
【００３０】
利用者がコピーをする際に、ステープル処理若しくは、パンチ処理を利用する場合、設定されている用紙に、前記識別手段により用紙にパンチ孔もしくはステープル孔が検知されると、その情報は前記システムＣＰＵ２５に転送され、前記ＲＡＭ２７に格納され、その情報に基づいて、所定のプログラムにより、前記表示ｂは警告表示を行う。
【００３１】
図３は前記警告表示の、前記表示部３ｂの地肌色とそのコントラスト色で表示する第一状態と、それらコントラストを反転させて表示する第二状態を表している。前記警告表示手段は、前記警告表示を第一状態と第二状態とを所定の周期で変化させることで、表示態様を異ならせて表示させる。このことにより利用者は、警告内容に、より気付き易くなり、その結果、利用者の意図と違うコピー動作がなされることが防止される。
【００３２】
図４は、利用者が、コピーを実行する際に、後処理にステープル処理又はパンチ処理を設定する場合のフローチャートである。
【００３３】
利用者がコピー開始前に、初期設定画面において、後処理でステープル処理又はパンチ処理を設定し（Ｓ１）、コピー開始のスタートキーを押すと（Ｓ２）、前記識別手段は選択されたトレイパネルの用紙にステープル孔又はパンチ孔が存在するかどうかを識別する（Ｓ３）。
【００３４】
ここで、用紙にステープル孔又はパンチ孔が検出されない場合（Ｓ４）、コピーが開始され、後処理でステープル処理又はパンチ処理が行われる（Ｓ８）。用紙にステープル孔またはパンチ孔が検出された場合（Ｓ４）、前記表示部３ｂに警告表示がされる（Ｓ５）。
【００３５】
ここで、前記警告表示手段は、前記警告表示の表示態様を変化させて表示することで利用者に注意を喚起し、利用者の意図と違うコピー動作がなされることを防止する。
【００３６】
コピーが開始される前に、前記自動モード変更手段により、後処理のステープル処理又はパンチ処理を解消し、画像形成ジョブを開始するよう設定されている場合、所定の時間内にスタートキーが再度操作されると（Ｓ６）、後処理のステープル処理又はパンチ処理の設定は解消され（Ｓ７）、コピーが開始される（Ｓ８）。
【００３７】
ここで、所定の時間内にスタートキーが再度操作されないと（Ｓ６）、再び前記初期設定画面が表示され（Ｓ９）、利用者は再びコピーの設定を行う。
【００３８】
以下に別実施形態を説明する。上述の実施形態では、警告表示後にスタートキーが再度操作された場合、後処理のステープル処理又はパンチ処理が解消され、コピーが開始される設定について説明したが、警告表示後にスタートキーが再度操作された場合に、パンチ処理を行う設定のままコピーが開始されてもよい。
【００３９】
また警告表示後にスタートキーが再度操作された場合に、前記自動カセット変更手段により、自動的に、選択されていた用紙カセット以外の用紙カセットが選択され、ステープル処理又はパンチ処理を行う設定のままコピーが開始されてもよい。
【００４０】
利用者は、前記警告表示手段の作動中に画像形成ジョブのスタートキーが操作されると、前記警告表示手段は前記警告表示の表示態様を異ならせて表示するとともに、再度スタートキーが操作されると、前記綴じ処理モードのまま画像形成ジョブを開始するか、前記綴じ処理モードを解消して画像形成ジョブを開始するか、当該用紙カセット以外の用紙カセットを選択して画像形成ジョブを開始するかの何れかの動作モードを、予め前記操作部３を介して選択し、設定しておくことが出来、それら何れかの動作モードを動作させることができる。
【００４１】
上述の実施形態では、前記表示部３ｂの地肌色とそのコントラスト色で表示する第一状態と、それらコントラストを反転させて表示する第二状態が所定の周期で変化することで、表示態様を異ならせて表示したが、例えば前記警告表示が点滅表示されるものや、前記第一状態、前記第二状態の表示色を利用者が自由に設定するもの等により、表示態様を異ならせて表示してもよい。
【図面の簡単な説明】
【００４２】
【図１】（ａ）は本発明が適用される画像形成装置の外観、（ｂ）は給紙カセットの外観を夫々表す斜視図
【図２】本発明が適用される画像形成装置の制御ブロック構成図
【図３】警告表示態様を表す説明図
【図４】フローチャート
【符号の説明】
【００４３】
３：操作部
３ｂ：表示部
４：給紙カセット
５：ガイド表示部
２５：システムＣＰＵ  
３０：後処理部
【図１】
2005274940.tif 000003
【図２】
2005274940.tif 000004
【図３】
2005274940.tif 000005
【図４】
2005274940.tif 000006